【手続補正書】
【提出日】平成17年3月7日(2005.3.7)
【手続補正１】
【補正対象書類名】明細書
【補正対象項目名】特許請求の範囲
【補正方法】変更
【補正の内容】
【特許請求の範囲】
【請求項１】
浴室内の空気を吸込み口から吸い込み再度浴室内へ送り込む循環用通路と、前記吸込み口から吸込んだ空気を排出口から屋外へ排出する換気用通路と、前記循環用通路の吸込み口とは別の吸込み口から吸込んだ浴室以外の部屋、洗面所またはトイレの空気を前記換気用通路へ送り込む吸気用通路と、
前記各吸込み口から吸い込んだ空気を前記浴室内または前記排出口へ送り込む１基の送風機と、前記送風機から送風された空気を前記循環用通路と前記換気用通路に切替える切替手段とを備えた空調装置において、前記循環用通路の吸込み口を覆う板状体と、前記板状体の端辺から突出させて形成した別の吸込み口から吸込んだ空気の方向を前記送風機へ向かう方向へ変えるための吸気ガイドとを備えた開閉手段を、前記循環用通路の吸込み口を開閉可能に配設させたことを特徴とする空調装置。
【請求項２】
前記開閉手段は、開閉用回転軸を中心に回動自在に取付けられていることを特徴とする請求項１に記載の空調装置。
【請求項３】
前記浴室内を換気する換気運転時には、前記開閉手段を前記循環用通路の吸込み口の開口面積を小さくする方向に動作させ、前記浴室内を換気しながら浴室内への循環の風を送る涼風運転または前記浴室内へ循環の風を送る送風運転時には、前記開閉手段を循環用通路の吸込み口の開口面積を大きくする方向に動作させることを特徴とする請求項１または請求項２のいずれかに記載の空調装置。
【手続補正２】
【補正対象書類名】明細書
【補正対象項目名】０００４
【補正方法】変更
【補正の内容】
【０００４】
【課題を解決するための手段及びその作用・効果】
前記吸込み口から吸込んだ空気を排出口から屋外へ排出する換気用通路と、前記循環用通路の吸込み口とは別の吸込み口から吸込んだ浴室以外の部屋、洗面所またはトイレの空気を前記換気用通路へ送り込む吸気用通路と、前記各吸込み口から吸い込んだ空気を前記浴室内または前記排出口へ送り込む１基の送風機と、前記送風機から送風された空気を前記循環用通路と前記換気用通路に切替える切替手段とを備えた空調装置において、前記循環用通路の吸込み口を覆う板状体と、前記板状体の端辺から突出させて形成した別の吸込み口から吸込んだ空気の方向を前記送風機方向へ流すための吸気ガイドとを備えた開閉手段を、前記循環用通路の吸込み口を開閉可能に配設させたことを特徴とする空調装置である。
この構成によれば、１基の送風機でありながら、浴室空間の雰囲気を循環する循環送風ができ、且つ浴室空間以外の室内空間も換気できる空調装置が安価にできるとともに、吸気口から吸込んだ浴室内のおよび空気別の吸込み口から吸込んだ他の室内からの空気が吸気ガイドを備えた開閉手段（第２開閉手段）により送風機方向へスムーズに流れるため、各室からの吸気を容易に行なうことができる。
【手続補正３】
【補正対象書類名】明細書
【補正対象項目名】０００５
【補正方法】変更
【補正の内容】
【０００５】
また、前記開閉手段は、開閉用回転軸を中心に回動自在に取付けられていることにより、循環用通路の吸込み口を開閉するという簡便な構造で設計・製作ができ、安価かつコンパクトに仕上げることができる。
また、前記浴室内を換気する換気運転時には、前記開閉手段を前記循環用通路の吸込み口の開口面積を小さくする方向に動作させ、前記浴室内を換気しながら浴室内への循環の風を送る涼風運転または前記浴室内へ循環の風を送る送風運転時には、前記開閉手段を循環用通路の吸込み口の開口面積を大きくする方向に動作させることにより、多室から同時吸気する風量バランスを任意に変化させることができる。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１５
【補正方法】変更
【補正の内容】
【００１５】
図５は、本発明の第２開閉手段８に係わる実施形態を示す図で、浴室Ｂ内から図１の内部に配設された第２開閉手段８を見た図である。第２開閉手段８は、吸込み口５を覆う板状体の一辺を湾曲状に切削させた形状の板５９が、開閉可能な位置に配設され、ケーシング１３に開閉用回転軸３０を中心に回動自在に取付けられている。第２開閉手段８は、開閉用モータ３１により駆動される。板５９の一辺を湾曲状に切削させた形状とすることで、吸込み口５からの吸気をスムーズにすることができる。これにより、簡便な構造で設計・製作ができ、安価かつコンパクトに仕上げることができる。
【手続補正１０】
【補正対象書類名】明細書
【補正対象項目名】００１６
【補正方法】変更
【補正の内容】
【００１６】
また、第２開閉手段８には位置検出手段３２を備えている。この構成により、第２開閉手段８を，吸込み口５を全て閉じるなどの任意位置で停止できる。例えば、この構成により、洗面所又はトイレＤと浴室Ｂを同時換気する多室換気運転時には、第２開閉手段８を循環用通路３の吸込み口５の開口面積を小さくする方向に動作させるとともに、循環用通路と換気用通路の切替手段１８で循環用通路３を塞ぐ位置まで動作させることができる。この場合、送風機７の回転により、別の吸込み口６には負圧が発生して、連通する吸気パネル３０２から洗面所又はトイレＤの空気を、同時に浴室Ｂの空気を吸気して、換気用通路４を通じて屋外Ｃへ換気する。
【手続補正１１】
【補正対象書類名】明細書
【補正対象項目名】００１７
【補正方法】変更
【補正の内容】
【００１７】
また、浴室Ｂを換気しながら浴室Ｂ内へ循環の風を送る涼風運転時の場合には、第２開閉手段８を循環用通路３の吸込み口５の開口面積を大きくする方向に動作させるとともに、循環用通路と換気用通路の切替手段１８を、循環用通路３と換気用通路４の中間位置まで動作させる。送風機７が回転しても、別の吸込み口６には負圧が発生しないので、浴室Ｂの空気のみを吸気して、換気用通路４を通じて屋外Ｃへ換気しつつ、循環用通路３を通じて空気を、再び浴室Ｂへ循環させる。
【手続補正１２】
【補正対象書類名】明細書
【補正対象項目名】００１８
【補正方法】変更
【補正の内容】
【００１８】
また、ヒータなどの熱交換手段１４を加えて、衣類や浴室を乾燥させる乾燥運転時には、涼風運転時と同様に、開閉手段８を循環用通路３の吸込み口５の開口面積を大きくする方向に動作させるとともに、循環用通路と換気用通路の切替手段１８を、循環用通路３と換気用通路４の中間位置まで動作させる。送風機７が回転しても、別の吸込み口６には負圧が発生しないので、浴室Ｂの空気のみを吸気して、換気用通路４を通じて屋外Ｃへ換気しつつ、循環用通路３を通じて、熱交換手段１４を通過させた空気を、再び浴室Ｂへ循環させる。また、操作手段３０３（操作方法は図示せず）により、吸込み口５と、別の吸込み口６からの吸込み風量を可変できるようにしたので、洗面所又はトイレＤと浴室Ｂから同時吸気する風量のバラスを任意に変化させることが出来る。設定した風量は、制御手段３０１または操作手段３０３の内部に備える永久記憶素子ＥＥＰＲＯＭに記憶させるため、停電時においても設定した風量は変わらないので、使用者に不便を掛けない。また、操作手段３０３は制御手段３０１と別体としているので、本体１が高所に設置されていても、安全に容易に操作が出来る。操作手段３０３を制御手段３０１と一体とした場合は、安価に構成できる。
【手続補正１３】
【補正対象書類名】明細書
【補正対象項目名】００１９
【補正方法】変更
【補正の内容】
【００１９】
図６は、本発明の一実施形態に係る吸気ガイドを備えた第２開閉手段の断面図である。図６に示すように、本発明の吸気ガイド６０は、第２開閉手段８において、循環用通路の吸込み口５を覆う板５９の端辺から垂直方向へ突出させて形成させたものであり、別の吸込み口６から吸込んだ他の室内からの空気の方向を変えるための板である。吸気用通路１０内部の空気の流れ６１は、吸気ガイド６０があることにより、空気の流れ６２となり、これにより吸気用通路１０からの吸気を容易に行うことが出来るので、風量を得やすい。
図７は、本発明の吸気ガイドに係わる別の実施形態を示す断面図である。図７に示す吸気ガイド６５は、循環用通路の吸込み口５を覆う板５９の端辺から傾斜突出させて形成させたものであり、別の吸込み口６から吸込んだ他の室内からの空気の方向を変えるための板である。図６と同様に、吸気用通路１０内部の空気の流れ６３、および吸込み口５から循環用通路３に向かう空気の流れ６４は、滑らかな形状の吸気ガイド６５があることにより、流れやすい。これにより、吸気用通路１０からの吸気と、浴室Ｂからの吸気を容易に行うことが出来るので、換気運転において風量を得やすい。
また、第２開閉手段を、送風機と循環用通路と換気用通路と、これらを収納するケーシングとからなる本体、または浴室にのぞんだ本体に取付られる化粧パネルのどちらかに設けたので、空調装置とは別に開閉手段の施工が要らなくてすむため、従来どおりの施工で出来る。また、第１及び第２開閉手段は、各吸込み口の開口範囲を可変可能としたので、現場の配管状況や、部屋の大きさに応じて、浴室空間と浴室以外の空間との吸気風量バランスを変更でき、使用者の要望に応えることができる。
【手続補正１４】
【補正対象書類名】明細書
【補正対象項目名】００２０
【補正方法】変更
【補正の内容】
【００２０】
空調装置は、第１及び第２開閉手段の開閉、換気・涼風などの運転の開始・終了、風量などを調整制御する制御手段と、該制御手段に前記開閉・運転・調整を指示する操作手段とを備えたので、換気風量や循環風量を任意に可変できる。また、操作手段により、吸込み口と、循環用通路の吸込み口及び前記別の吸込み口からの吸込み風量を可変可能としたので、使用者の浴室天井などの高所にて設置されたままで、低所にて安全かつ、簡便な操作により風量バランスを変更できる。また、可変された吸込み風量の設定を前記制御手段に記憶させるようにしたので、停電からの復帰においても前回の設定のままであり、使用者に不自由を掛けずにすむ。また、操作手段は、制御手段と一体としたので、操作部が不要となり安価にできる。また制御手段と別体としたので、低所にて安全かつ、簡便な操作できる。
また、室内を換気する換気運転時に、第２開閉手段を循環用通路の吸込み口の開口面積を小さくする方向に動作させるようにしたので、換気運転時に循環側の吸込み風量を少なくしつつ、別の吸込み口側の吸込み風量を大きくすることができる。また、室内を換気しながら室内への循環の風を送る涼風運転、または室内へ循環の風を送る送風運転時には、第２開閉手段を循環用通路の吸込み口の開口面積を大きくする方向に動作させるようにしたので、涼風運転時または送風運転時に、循環側の吸込み風量を大きくしつつ、別の吸込み口側の吸込み風量を小さくすることができる。
また、循環用通路上に、ヒータまたは熱交換機などの熱交換手段を備えたので、空調装置を暖房・乾燥ができる空調装置としても使える。また、送風機から送風する風を、循環用通路と換気用通路に切替える切替手段を備えたので、循環送風運転中には浴室雰囲気を排気しない、または換気運転中には浴室へ循環送風を吹出さないという、選択的な使い方ができ、浴室の暖かい空気を排出しない、または入浴中に風を浴びないという、使い勝手の良さが得られる。
また、循環用通路の吸込み口は浴室に設けられ、別の吸込み口は浴室以外の部屋に連通させたので、浴室の換気運転と循環運転、浴室以外の部屋の換気運転ができる。また、循環用通路の吸込み口は浴室に設けられ、別の吸込み口は洗面所またはトイレに連通させたので、単独換気ができる。